(57)【要約】【課題】スイッチノブと導光部材との位置ズレが起こりにくく、スイッチノブのがたつきを少なくすることができるスイッチの照明構造を提供する。【解決手段】マップランプ装置１において、インナーハウジング５に固定された導光棒４にスイッチノブ３０、３１をスライド自在に保持するガイド部４３が設けられ、スイッチノブ３０、３１にガイド部４３が挿入されるガイド受け部３４が設けられている。【選択図】図１
2013030311.tif 000002
【特許請求の範囲】
【請求項１】
ハウジングと、前記ハウジングに取り付けられた光源と、前記光源の前面に設けられるとともに前記光源からの光によって照明されるスイッチノブと、前記ハウジングに固定され前記光源からの光を前記スイッチノブ背面に導く導光部材と、を備えたスイッチの照明構造において、
前記導光部材に、前記スイッチノブがスライドする方向にガイドするガイド部が設けられているとともに、
前記スイッチノブに前記ガイド部が挿入されるガイド受け部が設けられている
ことを特徴とするスイッチの照明構造。
【請求項２】
前記ガイド部に、前記スイッチノブの背面に向かって光を出射する出射部が設けられていることを特徴とする請求項１に記載のスイッチの照明構造。
【発明の詳細な説明】
【技術分野】
【０００１】
本発明は、スイッチノブの視認性を高めるために背面から照明されるスイッチの照明構造に関する。
【背景技術】
【０００２】
例えば、車両の車内において、マップランプなどの照明や空調機器およびカーオーディオなどの操作用に照明付きのスイッチが用いられている。この種のスイッチは、光源がスイッチノブの裏側から照明して、夜間などにスイッチノブを発光させることができる。
【０００３】
例えば、特許文献１には、スイッチノブの中央に押圧バーを設け、発光ダイオードの光を押圧バーを介してスイッチノブを照明するように構成した操作スイッチが記載されている。
【０００４】
また、特許文献２には、光源の数を減少させるために光源からの光を照明部に導く導光体（導光部材）を配置した車両用室内照明装置が記載されている。
【先行技術文献】
【特許文献】
【０００５】
【特許文献１】特開２００８−１９２４０７号公報
【特許文献２】特開２００９−１４３４０９号公報
【発明の概要】
【発明が解決しようとする課題】
【０００６】
特許文献１に記載された操作スイッチは、操作スイッチごとに光源が必要となってしまいコストがかかってしまうという問題があった。
【０００７】
特許文献２に記載された車両用室内照明装置は、導光体によって光源の数を減少させることができるが、このような導光体を特許文献１に記載された操作スイッチに単に適用しただけでは、スイッチノブと導光体との間の位置ズレが起こり易くなり、照明ムラやスイッチノブのがたつきなどの問題が発生してしまう。
【０００８】
そこで、本発明は、スイッチノブと導光部材との位置ズレが起こりにくく、スイッチノブのがたつきを少なくすることができるスイッチの照明構造を提供することを課題とする。
【課題を解決するための手段】
【０００９】
上記課題を解決するためになされた請求項１に記載の発明は、ハウジングと、前記ハウジングに取り付けられた光源と、前記光源の前面に設けられるとともに前記光源からの光によって照明されるスイッチノブと、前記ハウジングに固定され前記光源からの光を前記スイッチノブ背面に導く導光部材と、を備えたスイッチの照明構造において、前記導光部材に、前記スイッチノブがスライドする方向にガイドするガイド部が設けられているとともに、前記スイッチノブに前記ガイド部が挿入されるガイド受け部が設けられていることを特徴とするスイッチの照明構造である。
【００１０】
請求項２に記載の発明は、請求項１に記載の発明において、前記ガイド部に、前記スイッチノブの背面に向かって光を出射する出射部が設けられていることを特徴とするものである。
【発明の効果】
【００１１】
請求項１に記載の発明によれば、ハウジングに固定された導光部材にガイド部が設けられ、スイッチノブにガイド受け部が設けられているので、スイッチノブが導光部材にスライド自在に保持されるためにスイッチノブと導光部材との位置ズレが起こりにくくなり、また、光源からの光をスイッチノブへ均等に当てることができる。さらに、スイッチノブのがたつきを少なくすることができる。
【００１２】
請求項２に記載の発明によれば、ガイド部に、スイッチノブの背面に向かって光を出射する出射部が設けられているので、ガイド部と出射部とを兼ねることができ、導光部材の構成を単純にすることができる。
【図面の簡単な説明】
【００１３】
【図１】本発明の一実施形態にかかるスイッチの照明構造を備えたマップランプ装置の分解斜視図である。
【図２】図１に示されたマップランプ装置の正面図とＡ−Ａ線に沿う断面図である。
【図３】図２のＢ部分の拡大図である。
【図４】図１に示されたスイッチノブと導光棒との関係を示す斜視図である。
【図５】図１に示されたインナーハウジングに、導光棒とスイッチ照明用光源を組み付けた状態を示す斜視図である。
【図６】本発明の他の実施形態にかかるスイッチの照明構造の拡大断面図である。
【図７】図７に示された導光棒とスイッチノブの構成を示した断面図である。
【発明を実施するための形態】
【００１４】
次に、本発明の一実施形態を図１ないし図５を参照して説明する。図１は、本発明の一実施形態にかかるスイッチの照明構造を備えたマップランプ装置の分解斜視図である。図２は、図１に示されたマップランプ装置の正面図とＡ−Ａ線に沿う断面図である。図３は、図２のＢ部分の拡大図である。図４は、図１に示されたスイッチノブと導光棒との関係を示す斜視図である。図５は、図１に示されたインナーハウジングに、導光棒とスイッチ照明用光源を組み付けた状態を示す斜視図である。
【００１５】
本発明の一実施形態にかかるスイッチの照明構造を備えたマップランプ装置１は図１に示したように、意匠部２と、スイッチノブ３０、３１と、導光棒４と、インナーハウジング５と、スイッチ照明用光源６と、スイッチ７０、７１と、を備えている。
【００１６】
意匠部２は、図１や図２などに示すように、板状に形成され、マップランプ装置１が、例えば車両の車室内に設置された際に車室内に露出する面となる。また、意匠部２は、その略中央にスイッチノブ３０が通される通孔２０およびスイッチノブ３１が通される通孔２１が開口している。また、意匠部２には、その両端に後述するマップランプ用光源７３からの光が出射する出射口２２、２３が設けられている。
【００１７】
意匠部２は、図１に示すように、通孔２０、２１の周囲からインナーハウジング５側に立設した周壁部２４が形成され、その周壁部２４には、後述するスイッチノブ３０、３１に設けられたガイド溝３６に遊嵌されるガイドレール２５が設けられている。即ち、ガイドレール２５は、スイッチノブ３０、３１のスライドする方向と平行な方向に延在している。通孔２１も同様である。
【００１８】
スイッチノブ３０は、図１などに示すように、押圧されることで、スライドして後述するスイッチ７０のＯＮまたはＯＦＦの切り替えを行う。スイッチノブ３１は、押圧されることで、インナーハウジング５に対して近づく方向にスライドして後述するスイッチ７１のＯＮまたはＯＦＦの切り替えを行う。
【００１９】
スイッチノブ３０は、図１や図４に示すように、ユーザ等によって押圧操作される面である矩形の板状の表面部３２と、表面部３２の裏面から立設した周壁部３３と、表面部３２の裏面に設けられた後述する導光棒４のガイド部４３が遊嵌されるガイド受け部３４と、表面部３２の裏面に設けられた後述するスイッチ７０を押圧する押圧部３５と、を備えている。
【００２０】
表面部３２の略中央部分には、このスイッチノブ３０を操作した場合の作動を示す表示画像３２ａが形成されている。表示画像３２ａは、表面部３２の裏側の光を表側に透光して、表示画像３２ａを発光させることが可能に形成されており、例えば、表面部３２を透光性の樹脂で形成し、表示画像３２ａを除いて、遮光性を有した塗料で着色することで表示画像３２ａに透光性を与えることができる。
【００２１】
周壁部３３は、意匠部２のガイドレール２５が遊嵌されるガイド溝３６が形成されている。即ち、ガイド溝３６は、スイッチノブ３０、３１のスライドする方向と平行な方向に延在している。ガイド受け部２４は、導光棒４のガイド部４３が挿入されて、スイッチノブ３０が導光棒４に対してスライド自在に保持される。押圧部３５は、略四角筒状に形成され、当該四角筒の先端でスイッチ７０を押圧する。なお、スイッチノブ３１も、スイッチノブ３０と同様の構成である。
【００２２】
導光部材としての導光棒４は、図１ないし図５に示すように、スイッチ照明用光源６からの光が入射する入射部４１と、入射部４１に入射した光を分岐させてスイッチノブ３０、３１の背面（裏側）に導くアーム部４２と、を備えている。
【００２３】
入射部４１は、図１や図４に示すように、円筒状に形成され、円筒の一端部からスイッチ照明用光源６からの光が入射する。アーム部４２は、入射部４１の他端から光を２方向に分岐させてスイッチノブ３０、３１の背面に導く。アーム部４２は、その端部にスイッチノブ３０、３１のガイド受け部２４に挿入されて遊嵌されるガイド部４３が形成されている。また、ガイド部４３の先端、つまり、アーム部４２の先端には入射部４１から入射した光が出射する出射部４４が形成されている。即ち、ガイド部４３に、スイッチノブ３０の背面に向かって光を出射する出射部４４が設けられている。また、アーム部４２は、後述するインナーハウジング５の固定部材５１の係合孔５３と係合する係合爪４５が形成されている。
【００２４】
ハウジングとしてのインナーハウジング５は、図１や図５に示すように、意匠部２の裏側に取り付けられ、導光棒４を固定する固定部５０を備えているとともに、スイッチ７０、７１のマップランプ用光源７３からの光を意匠部２の出射口２２、２３から出射するために設けられた孔５２が開口している。
【００２５】
固定部５０は、インナーハウジング５の表側（意匠部２側）から立設した４つの帯板状の固定部材５１で構成されており、固定部材５１には、導光棒４の係号爪４５と係合する係合孔５３が形成されている。
【００２６】
光源としてのスイッチ照明用光源６は、ＬＥＤ（発光ダイオード）などの光源６ａを備え、図５に示すように、インナーハウジング５の裏側に取り付けられる。スイッチ照明用光源６と導光棒４とは、図３に示すように、光源６ａと、入射部４１とが、略同一軸線上に位置付けられるように取り付けられる。スイッチ照明用光源６は、インナーハウジング５に取り付けられた状態で、光源６ａからの光が導光棒４に入射するように、インナーハウジング５の当該位置には通孔が形成されている。
【００２７】
スイッチ７０は、図１に示すように、スイッチ部７２と、マップランプ用光源７３と、を備えている。スイッチ部７２は、スイッチノブ３０の押圧部３５から押圧されることでＯＮまたはＯＦＦが切り替えられるスイッチである。マップランプ用光源７３は、スイッチ部７２がＯＮ状態で点灯、ＯＦＦ状態で消灯となる光源である。なお、スイッチ７１も、スイッチ７０と同様の構成である。
【００２８】
上述したスイッチノブ３０、３１と、導光棒４と、インナーハウジング５と、スイッチ照明用光源６と、で本発明の第１の実施形態にかかるスイッチの照明構造１０を構成する。
【００２９】
上述したように構成されたマップランプ装置１（スイッチの照明構造１０）は、図３や図４に示すように、インナーハウジング５の固定部５０に固定された導光棒４のガイド部４３が、スイッチノブ３０、３１のガイド受け部３４に挿入されることで、導光棒４のガイド部４３がスイッチノブ３０、３１を押圧方向とその逆方向（図４の矢印Ｒの方向）にスライド自在にガイドしている。なお、ガイド受け部３４の幅は、スイッチノブ３０、３１のがたつきを少なくできる程度に保持するとともに、スイッチノブ３０、３１のスライド（押圧操作）を阻害しない程度に、ガイド部４３の幅よりも広く形成されている。
【００３０】
また、ガイド棒４は、図３に示すように、入射部４１から入射したスイッチ照明用光源６からの光を分岐して２つのスイッチノブ３０、３１の背面を照明している。
【００３１】
本実施形態によれば、マップランプ装置１において、インナーハウジング５に固定された導光棒４にスイッチノブ３０、３１をスライド自在に保持するガイド部４３が設けられ、スイッチノブ３０、３１にガイド部４３が挿入されるガイド受け部３４が設けられているので、スイッチノブ３０、３１が導光部４にスライド自在に保持されるためにスイッチノブ３０、３１と導光棒４との位置ズレが起こりにくくなり、また、スイッチ照明用光源６からの光をスイッチノブ３０、３１へ均等に当てることができる。また、スイッチノブ３０、３１のがたつきを少なくすることができる。
【００３２】
また、ガイド部４３に、導光棒４からスイッチノブ３０、３１の背面に向かって出射する出射部４４が設けられているので、ガイド部４３と出射部４４とを兼ねることができ、導光部棒４の構成を単純にすることができる。
【００３３】
なお、導光棒４のガイド部４３は、アーム部４２の先端部（出射部４４）に形成されていたが、図６や図７に示すように、アーム部４２とは別に設けてもよい。図６および図７において、ガイド部４３´は、アーム部４２の先端部よりも、入射部４１寄りに２つ形成されている。また、この際には、スイッチノブ３０、３１のガイド受け部３４´もガイド部４３´に合わせた位置、形状で形成する。
【００３４】
また、上述した実施形態では、マップランプ装置１で説明したが、それに限らず、導光部材で光源の光をスイッチノブの背面に導いて照明するスイッチの照明構造を持つ機器に適用可能である。
【００３５】
なお、上述した実施形態は本発明の代表的な形態を示したに過ぎず、本発明は、実施の形態に限定されるものではない。すなわち、本発明の骨子を逸脱しない範囲で種々変形して実施することができる。
【符号の説明】
【００３６】
１     マップランプ装置
３０   スイッチノブ
３１   スイッチノブ
３４   ガイド受け部
４     導光棒（導光部材）
４３   ガイド部
５     インナーハウジング（ハウジング）
６     スイッチ照明用光源（光源）
１０   スイッチの照明構造
【図１】
2013030311.tif 000003
【図２】
2013030311.tif 000004
【図３】
2013030311.tif 000005
【図４】
2013030311.tif 000006
【図５】
2013030311.tif 000007
【図６】
2013030311.tif 000008
【図７】
2013030311.tif 000009